(57)【特許請求の範囲】
【請求項１】
机の天板に形成されたダクトに取付けられる机用ダクトカバーにおいて、前記ダクトに装着される保持枠と、前記保持枠に軸支され保持枠の開口部を開閉するカバーと、前記カバーに形成された切込みと、前記カバーに軸支され該カバーと面一の状態で前記切込みを覆い、下方へ折曲するように回動して切込みを開放するリッドと、を有することを特徴とする机用ダクトカバー。
【発明の詳細な説明】
【０００１】
【発明の属する技術分野】
本発明は、机の天板上で使用する電話機等へコードを配線するために、天板に形成されたダクトに取付けられる机用ダクトカバーに関する。
【０００２】
【従来の技術】
図６に示すように、机１２には、天板１４の一部に、床面から天板１４の上に情報コードや電源コードを引き出すためのダクト１６が形成されたものがある。このダクト１６には、リッド７０で開口部が開閉可能なダクトカバー７２が嵌め込まれており、電源等を使用しないときには、リッド７０を閉じて机１２の見かけを良くすると共に、開口部を通じて筆記具等が床面に落ちないように考慮されている。
【０００３】
ところで、机１２にスタンド等のホルダー４２を固定することがあるが、コ字状のホルダー４２の先端部に、引掛部４２Ａが屈曲形成されたものがある。この引掛部４２Ａをダクト１６へ入り込ませることにより、ホルダー４２を天板１４へ強固に固定することができる。
【０００４】
しかし、ホルダー４２の引掛部４２Ａの板厚は数ミリにしか過ぎないのに、リッド７０を全開する必要があり、見栄えが悪いだけでなく、開口部から物が落ちて紛失することがある。
【０００５】
【発明が解決しようとする課題】
本発明は上記事実を考慮し、ホルダーを天板に取付けたとき、机の見栄えを良くし、また、天板上に不要な開口部を形成しない机用ダクトカバーを提供することを課題とする。
【０００６】
【課題を解決するための手段】
請求項１に記載の発明では、机の天板に形成されたコード取り出し用のダクトに保持枠が装着されるようになっている。この保持枠は、カバーを開閉可能に軸支しており、このカバーで保持枠の開口が覆われる。また、カバーには、細長の切込みが形成されており、カバーに軸支された回動可能なリッドで覆われ、このとき、カバーとリッドは面一となっている。
【０００７】
このリッドは、下方に回動して切込みを開放するようになっている。従って、例えば、板厚の薄いホルダーの引掛部をダクトへ差し込む際、カバーを開かなくても、リッドを下方へ回動させて、切込みを介してダクト内へ差し込むことができる。
【０００８】
このように、リッドを下方へ回動させることにより、リッドが天板上から退避するので邪魔にならない。また、カバーを開放して不必要な開口部を形成しなくてもよいので、見栄えがよく、ダクトから物が落ちることがない。
【０００９】
【発明の実施の形態】
図１〜図４に示すように、本形態に係る机用ダクトカバー１０は、机１２の天板１４に形成された長方形状のダクト１６に嵌め込まれる保持枠１８を備えている。この保持枠１８の外周面には爪２０が突設されており、撓み可能に外縁が切り込まれている。この爪２０が弾性変形してダクト１６の内壁を押圧し、机用ダクトカバー１０がダクト１６から抜け出さないようにしている。
【００１０】
保持枠１８の上部開口縁からは、フランジ２２が外側へ張り出しており、ダクト１６の開口縁を遮蔽している。また、保持枠１８の隅部には、軸体２４が互いに向かい合う方向へ突設されている。この軸体２４には、保持枠１８の開口部１８Ａを開閉する長板状のカバー２６の裏面に形成された軸受け２８の長溝３０が回転及びスライド可能に係合している。
【００１１】
長溝３０の一端には幅狭部３０Ａが形成されており、力を入れてカバー２６を引き抜かない限り、軸受け２８が軸体２４から抜けないようになっている。また、保持枠１８の内壁には、軸体２４から下方へガイド壁３２が延設されている。このガイド壁３２と、このガイド壁３２と平行に延びるガイド板３４との間に、回動され垂直となったカバー２６の幅方向の両端部が挟まれ、軸体２４から長溝３０が抜け出した状態で、カバー２６が上下にスライドするようになっている。
【００１２】
さらに、カバー２６の軸部側には支持板３６が、カバー２６の自由端側には突起３８が設けられており、カバー２６が閉じられたときの受け台として機能する。
【００１３】
一方、カバー２６の両端部は５ミリ幅程度切り落とされて長状の切込み４０が形成されており、カバー２６を閉じたとき、保持枠１８の開口部１８Ａとの間に、図５に示すスタンドＳのホルダー４２の引掛部４２Ａが挿入可能なスリットを構成する。
【００１４】
この切込み４０は、細長状のリッド４４で開閉できるようになっている。このリッド４４の両端からは、長手方向へ突出する軸４６が設けられている。この軸４６は、カバー２６の裏面に形成され側方が切り開かれた軸受け４８に軸支されている。そして、リッド４４は、カバー２６の裏面に設けられた軸受け４８に軸支されているので、リッド４４の基端側の端面４４Ａと切込み４０の立面とが当接する位置、すなわち、リッド４４とカバー２６が面一となる状態から、下方へ折曲するようにしか回動できない。
【００１５】
このため、図２に示すように、リッド４４は保持枠１８内へ入り込むようにして切込み４０を開放し、また、リッド４４とカバー２６が面一となって切込み４０を閉止する。さらに、切込み４０の長手方向の端部には、段差部５０が形成されおり、この段差部５０をリッド４４に形成された段差部５２が乗り越えるとき、クリック感を出すと共に、段差部５０と段差部５２とが係合してストッパーとして機能し、リッド４４が不用意に下方へ開放しないようになっている。
【００１６】
一方、カバー２６の自由端側は、カバー２６が閉じられた状態でコード類が取り出せるように、取出口５４が形成されている。この取出口５４の口縁には、カバー２６の長手方向に沿ってガイド部５６が形成されている。このガイド部５６には、取出口５４を開閉するスライド蓋５８の幅方向の両端部がスライド可能に保持されている。
【００１７】
このスライド蓋５８の端部には、操作用のノブ６０が突設されており、また、他端部には外周がコ字状に切り込まれた係止爪６２が設けられている。この係止爪６２は、カバー２６の中央部に形成されたラック部６４との噛み合って停止し、或いはラック部６４を乗り越えてクリック感を出しながらスライド蓋５８をスライドさせる。
【００１８】
次に、本形態に係る机用ダクトカバー１０の作用を説明する。
この机用ダクトカバー１０は、コード等を取り出す取出口５４を開閉するスライド蓋５８、ダクト１６を大きく開閉するカバー、及び切込み４０を開閉するリッド４４を備えており、３通りの使用形態を選択することができる。
【００１９】
ここで、特徴的なものは、図５に示すように、リッド４４を下方に回動して、切込み４０を開放して、板厚の薄いホルダー４２の引掛部４２Ａを差し込む形態である。このように、カバー２６を開かなくても、ホルダー４２を天板１４に取付けることができるので、見栄えがよく、ダクト１６から物が落ちることがない。また、リッド４４を下方へ回動させることにより、リッド４４が天板１４の上から退避するので邪魔にならない。
【００２０】
【発明の効果】
本発明は上記構成としたので、ホルダーを天板に取付けたとき、机の見栄えが良く、また、天板上に不要な開口部が形成されないので、筆記具等がダクトから落下しない。
【図面の簡単な説明】
【図１】本形態に係る机用ダクトカバーと机のダクトとの関係を示した分解斜視図である。
【図２】本形態に係る机用ダクトカバーのカバーが閉じられた状態を示す斜視図である。
【図３】本形態に係る机用ダクトカバーのカバーが開放された状態を示す斜視図である。
【図４】本形態に係る机用ダクトカバーの分解斜視図である。
【図５】本形態に係る机用ダクトカバーの切込みにホルダーの引掛部が挿入された状態を示す斜視図である。
【図６】従来の机用ダクトカバーの開口部にホルダーの引掛部が挿入された状態を示す斜視図である。
【符号の説明】
１８      保持枠
２６      カバー
４０      切込み
４４      リッド
【図１】
0003650242.tif 000002
【図２】
0003650242.tif 000003
【図３】
0003650242.tif 000004
【図４】
0003650242.tif 000005
【図５】
0003650242.tif 000006
【図６】
0003650242.tif 000007